(57)【要約】  アップデート管理方法及び装置が開示される。アップデート管理方法は、複数のチャネルのうち少なくとも一つと連関する一つ以上のアップデート情報をユーザ端末の保存部に保存する段階；連関する少なくとも一つのチャネルで一つ以上のアップデート情報をディスプレイする段階；を含む。
2013536510.tif 000002
【特許請求の範囲】
【請求項１】
複数のチャネルのうち少なくとも一つと連関する一つ以上のアップデート情報をユーザ端末の保存部に保存する段階と、
前記連関する少なくとも一つのチャネルで前記一つ以上のアップデート情報をディスプレイする段階と、を含むことを特徴とするアップデート管理方法。
【請求項２】
前記一つ以上のアップデート情報をディスプレイする段階は、前記ユーザ端末に設けられた複数のアプリケーションのうち、前記一つ以上のアップデート情報に連関する少なくとも一つのアプリケーションをディスプレイする段階を含むことを特徴とする請求項１に記載のアップデート管理方法。
【請求項３】
前記ディスプレイされた一つ以上のアップデート情報のうち一つが選択されれば、前記ユーザ端末に設けられた複数のアプリケーションのうち、前記選択されたアップデート情報に連関するアプリケーションを行う段階をさらに含むことを特徴とする請求項１に記載のアップデート管理方法。
【請求項４】
前記一つ以上のアップデート情報をディスプレイする段階は、前記一つ以上のアップデート情報についてのプリビューをディスプレイする段階を含むことを特徴とする請求項１に記載のアップデート管理方法。
【請求項５】
前記一つ以上のアップデート情報に関する一つ以上のお知らせ情報をディスプレイする段階をさらに含むことを特徴とする請求項１に記載のアップデート管理方法。
【請求項６】
前記一つ以上のお知らせ情報は、スクロール方式でディスプレイされることを特徴とする請求項５に記載のアップデート管理方法。
【請求項７】
前記ディスプレイされた一つ以上のお知らせ情報のうち一つが選択されれば、前記選択されたお知らせ情報にあたるアップデート情報の属するチャネルが開けられることを特徴とする請求項５に記載のアップデート管理方法。
【請求項８】
前記お知らせ情報の選択によって前記チャネルが開けられれば、前記お知らせ情報がディスプレイされた領域にチャネル間切り換えのための情報をディスプレイする段階をさらに含むことを特徴とする請求項７に記載のアップデート管理方法。
【請求項９】
前記一つ以上のお知らせ情報をディスプレイする段階は、前記一つ以上のアップデート情報に関するお知らせ情報をチャネル別に順次にディスプレイする段階を含むことを特徴とする請求項５に記載のアップデート管理方法。
【請求項１０】
前記一つ以上のアップデート情報は、関連データを提供するリソースについてのリンクを含むことを特徴とする請求項１に記載のアップデート管理方法。
【請求項１１】
前記一つ以上のアップデート情報は、ネットワークリソースから受信されたデータを含むことを特徴とする請求項１に記載のアップデート管理方法。
【請求項１２】
前記連関する少なくとも一つのチャネルで前記一つ以上のアップデート情報をブラウジングする段階をさらに含むことを特徴とする請求項１に記載のアップデート管理方法。
【請求項１３】
アップデート管理方法を行うプログラムを記録したコンピュータで読み取り可能な記録媒体において、前記アップデート管理方法は、
複数のチャネルのうち少なくとも一つと連関する一つ以上のアップデート情報をユーザ端末の保存部に保存する段階と、
前記連関する少なくとも一つのチャネルで前記一つ以上のアップデート情報をディスプレイする段階と、を含むことを特徴とする記録媒体。
【請求項１４】
複数のチャネルのうち少なくとも一つと連関する一つ以上のアップデート情報を保存するための保存部と、
前記一つ以上のアップデート情報をディスプレイするためのディスプレイ部と、
前記ディスプレイ部上に、前記保存部に保存された一つ以上のアップデート情報を前記連関する少なくとも一つのチャネルでディスプレイする制御部と、を備えることを特徴とするアップデート管理装置。
【請求項１５】
前記制御部は、前記ユーザ端末に設けられた複数のアプリケーションのうち前記一つ以上のアップデート情報に連関する少なくとも一つのアプリケーションを、前記連関する少なくとも一つのチャネルにディスプレイすることを特徴とする請求項１４に記載のアップデート管理装置。
【請求項１６】
前記制御部は、入力部を通じて前記ディスプレイされた一つ以上のアップデート情報のうち一つが選択されれば、前記ユーザ端末に設けられた複数のアプリケーションのうち前記選択されたアップデート情報に連関するアプリケーションを行うことを特徴とする請求項１４に記載のアップデート管理装置。
【請求項１７】
前記制御部は、前記一つ以上のアップデート情報についてのプリビューを前記連関する少なくとも一つのチャネルにディスプレイすることを特徴とする請求項１４に記載のアップデート管理装置。
【請求項１８】
前記制御部は、前記一つ以上のアップデート情報に関するお知らせ情報をディスプレイすることを特徴とする請求項１４に記載のアップデート管理装置。
【請求項１９】
前記一つ以上のアップデート情報は、関連データを提供するリソースについてのリンクを含むことを特徴とする請求項１４に記載のアップデート管理装置。
【請求項２０】
前記一つ以上のアップデート情報は、ネットワークリソースから受信されたデータを含むことを特徴とする請求項１４に記載のアップデート管理装置。
【発明の詳細な説明】
【技術分野】
【０００１】
本発明は、ユーザ端末で情報を提供する方法に係り、さらに具体的には、ユーザにアップデート情報を提供するためのアップデート管理方法及び装置に関する。
【背景技術】
【０００２】
モバイル器機で提供するアプリケーションが多様になり、数も多くなっている。新たに発生したアップデート情報を確認するか、またはアプリケーションに関する最新情報を確認するためには、一つのアプリケーションを行ってアプリケーション画面に進入した後で終了し、さらに他のアプリケーションを行った後で終了する過程を繰り返せねばならないという不便さがある。このような技術は特許文献１に開示されている。このような不便さを解決してユーザが容易かつ便利にアップデート情報に近づける方法が必要である。
【先行技術文献】
【特許文献】
【０００３】
【特許文献１】韓国公開特許第２００９−０３５３３１号公報
【発明の概要】
【課題を解決するための手段】
【０００４】
本発明の一実施形態によるアップデート管理方法は、複数のチャネルのうち少なくとも一つと連関する一つ以上のアップデート情報をユーザ端末の保存部に保存する段階；前記連関する少なくとも一つのチャネルで前記一つ以上のアップデート情報をディスプレイする段階；を含む。
【０００５】
本発明の他の実施形態によるアップデート管理装置は、複数のチャネルのうち少なくとも一つと連関する一つ以上のアップデート情報を保存するための保存部；前記一つ以上のアップデート情報をディスプレイするためのディスプレイ部；前記ディスプレイ部上に、前記保存部に保存された一つ以上のアップデート情報を前記連関する少なくとも一つのチャネルでディスプレイする制御部；を備える。
【図面の簡単な説明】
【０００６】
【図１】本発明の一実施形態によるアップデート管理装置の構成図である。
【図２】本発明の他の実施形態によるアップデート管理方法のフローチャートである。
【図３】アップデート管理画面と情報リソースとの関係を例示する図面である。
【図４】本発明のさらに他の実施形態によるアップデート管理方法のフローチャートである。
【図５】第１情報領域及び第２情報領域を表示した画面を例示する図面である。
【図６】チャネルを開けてアップデート情報を提供する画面を例示する図面である。
【図７】チャネルを切り換えてチャネル内のアップデート情報をブラウジングする画面を例示する図面である。
【図８】アップデート情報の構成を例示する図面である。
【図９】チャネルの構造を例示する図面である。
【図１０】ティッカーに表示される情報の手順を例示する図面である。
【図１１】ユーザに通知せねばならない情報をティッカーに表示する画面を例示する図面である。
【図１２】メニュー画面でチャネルを開ける過程を例示する図面である。
【図１３】ティッカーを通じて通知された文字メッセージ情報を見る画面を例示する図面である。
【図１４】ティッカーを通じて勧められたマルチメディアコンテンツを見る画面を例示する図面である。
【図１５】チャネル領域のサイズを調整する画面を例示する図面である。
【発明を実施するための形態】
【０００７】
以下、図面を参照して本発明の実施形態を説明する。
本願で“及び／または”という用語は、かかる項目のうちいずれか一つ以上または全部を含む。
【０００８】
図１は、本発明の一実施形態によるアップデート管理装置１００の構成図である。
図１を参照すれば、アップデート管理装置１００はユーザ端末であり、情報を出力するための画面を含むディスプレイ部１１０、ユーザの入力を受信するための入力部１３０、アップデート情報を保存するための保存部１４０、及び入力部１３０を通じる入力を処理し、ディスプレイ部１１０を通じてアップデート情報を出力するように制御する制御部１２０を備える。装置１００で提供可能なアップデート情報は、各アップデート情報が連関する少なくとも一つのチャネルで提供される。チャネルは、アップデート情報の特性や装置１００に設けられたアプリケーションの特性によって分類されるカテゴリーで定義されるが、これに限定されるものではなく、他の分類基準によってチャネルが定義されてもよい。アップデート情報は、外部から提供される最新情報やコンテンツ、またはお勧め情報やコンテンツである。
【０００９】
ディスプレイ部１１０及び入力部１３０は、ディスプレイ領域内でタッチの発生及び位置を感知できるタッチスクリーンを形成するように具現される。保存部１４０には、複数のチャネルのうち少なくとも一つと連関する一つ以上のアップデート情報を保存する。制御部１２０は、保存部に保存された一つ以上のアップデート情報を該チャネルでディスプレイするようにディスプレイ部１１０を制御する。
【００１０】
図２は、本発明の他の実施形態によるアップデート管理方法のフローチャートである。
図２を参照すれば、先ず、複数のチャネルのうち少なくとも一つと連関する一つ以上のアップデート情報がユーザ端末の保存部１４０に保存される（ステップ２０１）。アップデート情報は、ＳＮＳ、電子メールなどのネットワークリソースから受信されたデータを含む。保存されたアップデート情報は、それぞれ連関する少なくとも一つのチャネルでディスプレイされる（ステップ２０２）。アップデート情報は、関連データを提供するリソースについてのリンクを含む。例えば、関連データのＵＲＬ（Ｕｎｉｆｏｒｍ Ｒｅｓｏｕｒｃｅ Ｌｏｃａｔｏｒ）などのネットワークアドレスを含む。チャネルにディスプレイされたアップデート情報上のリンクが選択されれば、対応するリソースから関連データが受信され、チャネルを通じてユーザに提供される。
【００１１】
図３は、アップデート管理画面と情報リソースとの関係を例示する図面である。
図３を参照すれば、インターネット、移動通信網などのネットワーク２００上のサービス提供サーバからアップデート情報がユーザ端末に受信されれば、保存部１４０のアップデートデータベース１８０に保存される。図示された例では、Ｔｗｉｔｔｅｒ（登録商標）、Ｍｙｓｐａｃｅ（登録商標）、Ｆａｃｅｂｏｏｋ（登録商標）という３つのアプリケーションと連関するアップデート情報が受信されてアップデートデータベース１８０に保存された。Ｍｅｄｉａ、ＳＮＳ（Ｓｏｃｉａｌ Ｎｅｔｗｏｒｋ Ｓｅｒｖｉｃｅ）、Ｍｙ Ｗｉｄｇｅｔを含む複数のチャネルがユーザ端末でユーザに提供され、前記で受信されたアップデート情報は、これらチャネルのうち自分と連関するチャネルであるＳＮＳチャネルでディスプレイされる。
【００１２】
画面１５０で所定チャネルのアップデート情報がディスプレイされるチャネル領域１７０は、チャネルブラウザまたはチャネルブラウジング領域であり、１回に１つのアップデート情報または複数のアップデート情報がディスプレイされる。チャネル領域１７０は、複数のアップデート情報がディスプレイされるか、または複数のページにかけて一つ以上のアップデート情報がディスプレイされる場合、入力部１３０を通じるユーザの入力によって現在チャネル内のアップデート情報をブラウジングして選択できる領域である。チャネルでアップデート情報をディスプレイする方法は特定方法に限定されず、各アップデート情報についてのプリビューをディスプレイするか、または各アップデート情報に連関するアプリケーションを行って該アップデート情報を示すか、または各アップデート情報に連関するアプリケーションまたはそれに関する情報をディスプレイする方式などが使われる。ユーザが現在開けられているチャネルで興味のあるアップデート情報を選択すれば、選択されたアップデート情報に連関するアプリケーション１５１が行われる。
【００１３】
また、ユーザに一つ以上のアップデート情報が存在することを知らせる一つ以上のお知らせ情報がディスプレイされ、これらお知らせ情報は、チャネル領域１７０とは別途の画面領域であるティッカー領域１６０にディスプレイされる。これらお知らせ情報は、左右または上下スクロール方式でディスプレイされるか、またはフェードイン／アウト方式でディスプレイされるが、これらに限定されるものではなく、他の方式が使われてもよい。お知らせ情報は、該アップデート情報のタイトル、生成子、要約などを含む。また、ティッカー領域１６０には、複数のお知らせ情報がチャネル別に順次にディスプレイされる。
【００１４】
例えば、ユーザのツイッターに新たなツイートが書き届けられれば、それに当る情報が受信されてアップデート情報としてアップデートデータベース１８０に保存され、このアップデート情報の発生を知らせる情報がティッカー領域１６０に表示される。ユーザによってこのお知らせ情報が選択されれば、対応するアップデート情報が属するチャネルであるＳＮＳチャネルが開けられ、チャネル領域１７０には前記ツイッターに書き込まれた新たなツイートがディスプレイされる。図３に示したように、チャネルが開けられた後には、ティッカー領域１６０にチャネル間切り換えのための情報、すなわち、チャネルリストがディスプレイされる。ユーザがＭｅｄｉａチャネルを選択すれば、チャネルが変わってチャネル領域１７０にはＭｅｄｉａチャネルのアップデート情報がディスプレイされる。
【００１５】
図４は、本発明のさらに他の実施形態によるアップデート管理方法のフローチャートであり、図５は、第１情報領域及び第２情報領域を表示した画面を例示する図面である。
図４及び図５を参照すれば、装置１００で使用可能な複数のアプリケーションが少なくとも一つのチャネルに分類される（ステップ２１０）。チャネル分類の基準は、アプリケーションが提供する情報の類型になりうるが、これに限定されるものではない。画面には第１情報領域３１０が含まれており、第１情報領域３１０には各チャネルで提供可能な情報が表示される（ステップ２２０）。各チャネルで提供可能な情報は、チャネルに属するアプリケーションに連関するアップデート情報であり、最新コンテンツまたはお勧めのコンテンツでありうる。第１情報領域３１０のサイズは限定されているので、第１情報領域３１０に表示される情報は、コンテンツのタイトルや情報の発生事実などのテキスト中心の核心情報または要約情報である。
【００１６】
第１情報領域３１０にディスプレイされた情報に関する詳細情報を要請する入力が受信されれば、第１情報領域３１０を除いた画面の少なくとも一部が第２情報領域３２０に割り当てられる（ステップ２３０）。第２情報領域３２０の割り当てによって、既存に画面のメイン領域３３０にディスプレイされていた情報や実行中のアプリケーションは、分割されて小くなった領域３３０’に再びディスプレイされる。ユーザによって要請された詳細情報、すなわち、第１情報領域３１０に表示された情報に対応する詳細情報が第２情報領域３２０にディスプレイされる（ステップ２４０）。この実施形態で、第１情報領域３１０は画面上に常に存在し、第２情報領域３２０はユーザによって常に呼び出し可能である。第２情報領域３２０のサイズは、提供する情報の量によって可変的に定められる。また、ユーザの要求に応じてサイズ調整が可能である。
【００１７】
図６は、チャネルを開けてアップデート情報を提供する画面を例示する図面である。
図６を参照すれば、画面の上端には、装置のバッテリー容量などの情報を表示するためのインジケータ領域４１０と、第１情報領域３１０に当たるティッカー領域４２０とが存在し、画面のメイン領域４４０は、各アプリケーションに対応するメニューアイコンを含むメニューページのために使われている。ティッカー領域４２０は、メイン領域４４０でメニューページではない他のアプリケーションが行われている場合にも存在し、ユーザに常に最新情報を知らせる。図６では、ティッカー領域４２０が画面の上端に位置しているが、画面の他の位置にあってもよい。
【００１８】
ティッカー領域４２０の下端で下側へのフリック入力４４１が受信されれば、第２情報領域３２０に当たるチャネル領域４３０が開けられ、ティッカー領域４２０に表示されたお知らせ情報に対応するアップデート情報を詳細に示す。例えば、ティッカー領域４２０に動画再生アプリケーションに関する最新コンテンツの名称が表示されている場合は、該コンテンツのプリビューがチャネル領域４３０に示され、ティッカー領域４２０に新規文字メッセージが受信されたことを知らせる情報が表示されている場合には、受信された文字メッセージの内容がチャネル領域４３０に提供される。チャネル領域４３０は、普通は画面に示されていないが、いつでも呼び出せる領域である。したがって、ユーザはティッカー４２０を通じて随時で最新情報を確認し、興味のある情報があれば、チャネル４３０を開けて詳細情報や対応コンテンツを閲覧する。
【００１９】
メイン領域４４０の一部がチャネル領域４３０に割り当てられたため、メニューページは分割されて小さくなったメニュー領域４４０’に再配置される。また、メニュー探索を要請する入力が受信されれば、小さくなったメニュー領域４４０’内で前記入力に当たるメニュー探索命令が行われる。チャネル領域４３０から上方向フリック入力４４２が受信されれば、チャネル領域４３０が閉まってメイン領域４４０全体がメニューページのための領域になる。チャネル領域４３０を開けるか、または閉めるにはフリック以外の入力方法が使われる。
【００２０】
図７は、チャネルを切り換えてチャネル内のアップデート情報をブラウジングする画面を例示する図面である。
図７を参照すれば、ティッカー領域５１０に“Ｆａｖｏｒｉｔｅ”、“Ｍｕｌｔｉｍｅｄｉａ”及び“Ｓｏｃｉａｌ”というチャネルの名称が表示されており、現在開けられているチャネルは“Ｍｕｌｔｉｍｅｄｉａ”であり、以前チャネルである“Ｆａｖｏｒｉｔｅ”や次のチャネルである“Ｓｏｃｉａｌ”に切り換えることができるということが分かる。タップやフリックなど所定の入力によってチャネル間切り換えが可能である。チャネル領域５２０には、チャネルが開けられる時にティッカー領域５１０に表示されている最新コンテンツ情報に対応するマルチメディアコンテンツが示される。チャネル領域５２０でフリックなど所定の入力によって、同一チャネル内のコンテンツ間に切り換えられる。例えば、マルチメディアコンテンツチャネル内で勧められるマルチメディアコンテンツのプリビューを順次に行える。チャネル領域５２０が開けられた後には、図７に示したように、ティッカー領域５１０にチャネルリストが表示される。このような画面構造を用いてユーザは全チャネルの情報を一画面で見られ、サービス提供者は、お勧めエンジンを通じて最新のコンテンツをユーザに持続的に勧める。
【００２１】
図８は、アップデート情報の構成を例示したものであり、図９は、チャネルの構造を例示する図面である。
図８を参照すれば、本発明でユーザに提供されるアップデート情報は、タイトル、要約情報及び／または核心情報を含むヘッダ領域６１０と、詳細情報及び／またはコンテンツ本体を含むデータ領域６２０とで構成される。図８及び図９を参照すれば、ティッカー７１０を通じてアップデート情報のヘッダ領域６１０に含まれた情報がお知らせ情報として提供され、ティッカー７１０に表示されたお知らせ情報に対応するデータ領域６２０の情報が、ヘッダ領域６１０の情報と共にチャネル７２０を通じて提供される。
【００２２】
図９を参照すれば、６個のアプリケーション７３０が使用可能であり、Ａｐｐ１ ７３１は、１−１ないし１−４というヘッダを持つ４個のアップデート情報を持ち、Ａｐｐ２ ７３２、Ａｐｐ３ ７３３、Ａｐｐ４ ７３４、Ａｐｐ５ ７３５及びＡｐｐ６ ７３６も、それぞれ４個のアップデート情報を持つ。Ａｐｐ１ ７３１及びＡｐｐ２ ７３２はチャネル１ ７２１に、Ａｐｐ３ ７３３及びＡｐｐ４ ７３４はチャネル２ ７２２に、Ａｐｐ５ ７３５及びＡｐｐ６ ７３６はチャネル３ ７２３に分類される。結果的に、チャネル１ ７２１には、１−１、１−２、２−２、２−３というヘッダを持つ４個のアップデート情報が存在し、チャネル２ ７２２には、３−２、４−１、４−２というヘッダを持つ３個のアップデート情報が存在し、チャネル３ ７２３では、５−３、５−４、６−２及び６−３というヘッダを持つ４個のアップデート情報が存在する。１−１のように端部が黒い斜線で表示されたアップデート情報は、チャネル領域に見える情報が一部であり、さらに多い情報が存在するということを示す。
【００２３】
アプリケーションと関係なく生成される情報をユーザに提供するためのチャネル４ ７２４が使われる。チャネル４ ７２４は、付加的なチャネルであり、例えば、装置１００を持って特定場所へ行くか、または特定位置に近付いた時、外部器機から受信される情報をユーザに通知する必要がある場合に使われるチャネルである。チャネル４ ７２４で提供可能な情報がある場合にも、ティッカー７１０を通じてユーザに発生事実を知らせ、チャネル７２０を通じて詳細情報を提供する。
【００２４】
図１０は、ティッカーに表示される情報の手順を例示する図面である。
図１０を参照すれば、チャネル１ ８２０、チャネル２ ８３０及びチャネル３ ８４０にそれぞれ３個のアップデート情報があり、ティッカー領域８１０には、各チャネルのアップデート情報に関するお知らせ情報が所定の順序及び周期で表示される。例えば、各チャネルのアップデート情報に関するお知らせ情報を順次に提供するために、チャネル１ ８２０のアップデート情報１、チャネル２ ８３０のアップデート情報２、チャネル３ ８４０のアップデート情報３、チャネル１ ８２０のアップデート情報４、チャネル２ ８３０のアップデート情報５、チャネル３ ８４０のアップデート情報６、チャネル１ ８２０のアップデート情報７、チャネル２ ８３０のアップデート情報８、チャネル３ ８４０のアップデート情報９の順にヘッダ情報を４秒ごとに更新して提供する。
【００２５】
図１１は、ユーザに通知せねばならない情報をティッカーに表示する画面を例示する図面である。
図１１を参照すれば、ティッカー領域９１０にチャネル順にアップデート情報に関するお知らせ情報９１１を提供する途中に、文字メッセージなどのユーザに通知せねばならないアップデート情報９１２が発生した場合には、優先的にティッカー領域９１０に表示する。この時、ユーザの注意をひくために、お勧め情報と異なる色で該お知らせ情報を表示するか、点滅効果などを与える。
【００２６】
図１２は、メニュー画面でチャネルを開ける過程を例示する図面である。
図１２を参照すれば、メイン領域にメニューページ１０２０がディスプレイされた状態で、ティッカー１０１０に“Ｍｕｌｔｉｍｅｄｉａ”チャネルの“ＴＨＥ ＳＡＭＳＵＮＧ ＤＡＩＬＹ”アプリケーションと連関する新規コンテンツに関するお知らせ情報が提供される。ユーザがこのコンテンツに興味があってティッカー１０１０を下方に下ろす入力１０１１をすれば、チャネル１０３０が開けられて前記新規コンテンツに関する詳細情報がディスプレイされる。この時、ティッカー１０１０の内容はチャネルリストに変更される。ユーザが“ＴＨＥ ＳＡＭＳＵＮＧ ＤＡＩＬＹ”アプリケーションを実行して該記事を全部見たければ、チャネル１０３０内でタップ入力１０３１をすることで該アプリケーション１０５０に直ぐ進入できる。この時、ティッカー１０１０は、再び各チャネルの最新またはお勧めコンテンツを周期的に知らせる状態に切り換えられる。
【００２７】
アプリケーション１０５０を実行した状態でティッカー１０１０が知らせる他の新規コンテンツを見ようとする場合にも、ティッカー１０１０を下方に下ろせばよい。この場合、アプリケーション１０５０の実行に割り当てられた画面が分割されつつ上端部分にチャネルが開けられ、該コンテンツの詳細情報がディスプレイされる。実行中のアプリケーションは非活性状態になり、下端部分の内容のみ画面に見られ、チャネルを閉めれば、再びアプリケーションが活性化する。
【００２８】
図１３は、ティッカーを通じて通知された文字メッセージ情報を見る画面を例示する図面である。
図１３を参照すれば、ティッカー領域１１００にアップデート情報に関するお知らせ情報１１１０が表示された状態で新たな文字メッセージが受信された場合、ティッカー領域１１００の内容は、文字メッセージのお知らせ情報１１１１に変更される。ティッカーを下ろしてチャネルを開けることを要請する入力１１２１が受信されれば、チャネル領域１１０３が開けられつつ受信された文字メッセージ１１２３がディスプレイされる。チャネル領域１１０３から左側フリック入力１１２２が受信されれば、チャネル領域１１０３に次の文字メッセージ１１２４がディスプレイされる。すなわち、同一チャネル内でコンテンツの間の切り換えが可能である。
【００２９】
図１４は、ティッカーを通じて勧められたマルチメディアコンテンツを見る画面を例示する図面である。
図１４を参照すれば、ティッカー領域１２００に表示されたお勧め動画コンテンツに関する詳細情報を見るためのフリック入力１２０２が受信されれば、チャネル領域１２１０が割り当てられて動画コンテンツのプリビューのための静止画がディスプレイされる。オートスライド機能が設定されている場合、同一チャネル内の他の動画コンテンツのプリビュー静止画が所定周期で順次にディスプレイされる。チャネル領域１２１０の所定アイコン１２１１を、タップ入力などを用いて選択すれば、現在の動画コンテンツが再生される。この時、プリビューのための動画が再生され、所定周期で同一チャネル内の他の動画コンテンツのプリビューのための動画の再生画面に切り換えられる。チャネル領域１２１０に含まれた所定アイコン１２１１以外の部分１２１３を選択またはタップすれば、対応するアプリケーションが行われる。また、装置を横方向に動かせば、チャネル情報を全体画面１２１２で見ることができる。この全体画面モードでは、動画の再生制御可能に具現することもできる。
【００３０】
図１５は、チャネル領域のサイズを調整する画面を例示する図面である。
図１５を参照すれば、ティッカー１３２０を下ろす入力１３１１を通じてチャネル１３０１を開け、チャネル１３０１を閉める入力１３１０が受信されれば、チャネル１３０１が消える。チャネル領域１３０１のサイズは、見せる情報の量によって定められ、ユーザのさらなる入力１３１２、１３１３によって調整されてもよい。
【００３１】
本発明は、コンピュータで読み取り可能な記録媒体にコンピュータで読み取り可能なコードとして具現できる。コンピュータで読み取り可能な記録媒体は、コンピュータシステムによって読み取られるデータが保存されるすべての記録装置を含む。コンピュータで読み取り可能な記録媒体の例としては、Ｒｅａｄ−Ｏｎｌｙ Ｍｅｍｏｒｙ（ＲＯＭ）、Ｒａｎｄｏｍ−Ａｃｃｅｓｓ Ｍｅｍｏｒｙ（ＲＡＭ）、ＣＤ−ＲＯＭ、磁気テープ、フロッピー（登録商標）ディスク、光データ保存装置などがある。またコンピュータで読み取り可能な記録媒体は、ネットワークに連結されたコンピュータシステムに分散されて、分散方式でコンピュータで読み取り可能なコードが保存されて行われる。
【００３２】
以上のように本発明は、たとえ限定された実施形態及び図面によって説明されたとしても、本発明が前記実施形態に限定されるものではなく、これは当業者ならば、これらの記載から多様な修正及び変形が可能である。したがって、本発明の思想は特許請求の範囲のみによって把握されねばならず、これと均等または等価的な変形はいずれも本発明の思想の範ちゅうに属するものである。
【符号の説明】
【００３３】
１１０    ディスプレイ部
１２０    制御部
１３０    入力部
１４０    保存部
１５０    画面
１５１    アプリケーション
１６０    ティッカー領域
１７０    チャネル領域
１８０    アップデートデータベース
２００    ネットワーク
３１０    第１情報領域
３２０    第２情報領域
４１０    インジケータ領域
４２０    ティッカー領域
４３０    チャネル領域
４４０    画面のメイン領域
４４１    フリック入力
５１０    ティッカー領域
５２０    チャネル領域
６１０    ヘッダ領域
６２０    データ領域
７１０    ティッカー
７２０    チャネル
７３０    アプリケーション
９１０    ティッカー領域
９１１    お知らせ情報
１０１０    ティッカー
１０１１    入力
１０３０    チャネル
１０３１    タップ入力
１０５０    アプリケーション
１１００    ティッカー領域
１１０３    チャネル領域
１１１０，１１１１    お知らせ情報
１１２１    入力
１１２２    フリック入力
１１２３    文字メッセージ
１１２４    文字メッセージ
１２００    ティッカー領域
１２０２    フリック入力
１２１０    チャネル領域
１２１１    アイコン
１３０１    チャネル
１３１０    入力
１３１２，１３１３    入力
１３２０    ティッカー
【図１】
2013536510.tif 000003
【図２】
2013536510.tif 000004
【図３】
2013536510.tif 000005
【図４】
2013536510.tif 000006
【図５】
2013536510.tif 000007
【図６】
2013536510.tif 000008
【図７】
2013536510.tif 000009
【図８】
2013536510.tif 000010
【図９】
2013536510.tif 000011
【図１０】
2013536510.tif 000012
【図１１】
2013536510.tif 000013
【図１２】
2013536510.tif 000014
【図１４】
2013536510.tif 000015
【図１５】
2013536510.tif 000016
【図１３】
2013536510.tif 000017
【国際調査報告】
2013536510.tif 000018
2013536510.tif 000019